(57)【特許請求の範囲】
【請求項１】
使用者が握る部位であるグリップ部と、接地する部位であり、前方から後方へ順に配置される第１脚部及び第２脚部を含む脚部と、前記グリップ部と前記脚部とを連結する部位である支柱部と、を有する多脚杖であって、
前記グリップ部から前記第１脚部先端までの距離が、前記グリップ部から第２脚部先端までの距離より短く、さらに、
前記脚部が、前記第１脚部の前方に第３脚部を有し、
前記グリップ部から前記第３脚部先端までの距離が、前記グリップ部から第１脚部先端までの距離より短く、
前記脚部が、一の平面下方に配置され、前記第３脚部が、前記一の平面の最前方に位置する部位であることを特徴とする多脚杖。
【請求項２】
前記第２脚部の底面を地面に接地させたとき当該多脚杖が前方に傾くように、前記第２脚部の底面が傾斜していることを特徴とする請求項１に記載の多脚杖。
【請求項３】
前記第１脚部が、１本の脚で構成され、
前記第２脚部が、２本の脚で構成されることを特徴とする請求項１又は２に記載の多脚杖。
【請求項４】
前記支柱部が、前記第１脚部直上位置より後方に配置されることを特徴とする請求項１乃至３の何れか一に記載の多脚杖。
【請求項５】
前記支柱部が、前記第２脚部の略直上位置に配置されることを特徴とする請求項１乃至４の何れか一に記載の多脚杖。
【請求項６】
前記グリップ部が、横方向に伸びるＴ字型形状であることを特徴とする請求項１乃至５の何れか一に記載の多脚杖。
【発明の詳細な説明】
【技術分野】
【０００１】
階段の上り下り動作を補助する多脚杖（多点杖）の技術に関する。
【背景技術】
【０００２】
杖とは、歩行のための補助道具であり、一般的には木や竹で作った細い棒状の道具で、老人や身体障害者をはじめ、旅行者、登山者、行商人など長い歩行や重い荷物の運搬を行う場合にも用いられる。
【０００３】
最近では、杖の先端（接地点）を複数にした多脚杖もあり、多脚杖は一本杖に比べると、筋力低下や麻痺のある人など歩行が不安定な人の歩行時の安定性を向上させる。
【０００４】
例えば、特許文献１では、杖の足の部分を３本とし、荷重を分散、歩行安定を向上させ、そこにクッションを装着することで、使用時、軽く感じさせ、疲れを軽減させることのできるクッション式３本足杖が提案されている。
【先行技術文献】
【特許文献】
【０００５】
【特許文献１】特開２００２−６５３２８号公報
【発明の概要】
【発明が解決しようとする課題】
【０００６】
しかしながら、上記の従来技術においては、階段を上るとき又は下りるときに、階段の段差を乗り越える使用者の歩行動作を十分に補助できないという問題点を有する。
そこで本発明では、上記問題点に鑑み、階段の上り下り時に、歩行者の体勢を安定させ、歩行動作を補助する多脚杖を提供することを目的とする。
【課題を解決するための手段】
【０００７】
開示する多脚杖の一形態は、使用者が握る部位であるグリップ部と、接地する部位であり、前方から後方へ順に配置される第１脚部及び第２脚部を含む脚部と、前記グリップ部と前記脚部とを連結する部位である支柱部と、を有する多脚杖であって、前記グリップ部から前記第１脚部先端までの距離が、前記グリップ部から第２脚部先端までの距離より短く、さらに、前記脚部が、前記第１脚部の前方に第３脚部を有し、前記グリップ部から前記第３脚部先端までの距離が、前記グリップ部から第１脚部先端までの距離より短く、前記脚部が、一の平面下方に配置され、前記第３脚部が、前記一の平面の最前方に位置する部位であることを特徴とする。
【発明の効果】
【０００８】
開示する多脚杖は、階段の上り下り時に、歩行者の体勢を安定させ、歩行動作を補助する。
【図面の簡単な説明】
【０００９】
【図１】本実施の形態に係る多脚杖の側面図である。
【図２】本実施の形態に係る多脚杖の正面図である。
【図３】本実施の形態に係る多脚杖の底面図である。
【図４】本実施の形態に係る多脚杖の平面図である。
【図５】本実施の形態に係る多脚杖の使用状態を示す図である。
【図６】本実施の形態に係る多脚杖の使用状態（段差が大きい場合）を示す図である。
【図７】本実施の形態に係る多脚杖の使用状態（段差が小さい場合）を示す図である。
【発明を実施するための形態】
【００１０】
図面を参照しながら、本発明を実施するための形態について説明する。
（本実施の形態に係る多脚杖の構造）
【００１１】
図１乃至４を用いて、本実施の形態に係る多脚杖１の構造について説明する。図１乃至４はそれぞれ、多脚杖１の側面図、正面図、底面図及び平面図である。なお、多脚杖１は、階段２０を上るとき又は階段２０を下りるときに、多脚杖１を使用する歩行者２２の体勢を安定させ、歩行者２２の歩行動作を補助する道具である。
図１乃至４で示すように、多脚杖１は、グリップ部２、支柱部４、脚部６、接続部８を有する。
【００１２】
グリップ部２は、歩行者２２が握る部位である。グリップ部２の形状は特に限定されないが、図２で示すように、グリップ部２の形状は、横方向に伸びるＴ字型であっても良い。こうすることによって、歩行者２２は、多脚杖１をしっかりと握ることができる。
【００１３】
支柱部４は、グリップ部２と脚部６とを繋ぐ部位であり、多脚杖１の支柱となる部位である。図１及び４で示すように、支柱部４は、第１脚部１０直上位置よりも後方に配置され、特に、第２脚部１２の略直上位置に配置されることが好適である。こうすることで、階段２０の上り下り時の歩行者２２の姿勢を安定させることができる。
【００１４】
脚部６は、床、階段、地面など歩行者２２が歩行する面に接地する部位である。脚部６は、第１脚部１０、第２脚部１２、第３脚部１４を有し、前方から後方へ第３脚部１４、第１脚部１０、第２脚部１２の順に配置される。
【００１５】
接続部８は、支柱部４と脚部６とを接続する（繋ぐ）部位である。図１乃至４で示すように、接続部８は、平面状の板部材であっても良く、平面の形状は特に限定されない。また、接続部８は、脚部６の一部である（脚部６に含まれる）と考えても良い。
【００１６】
図１乃至３で示すように、第１脚部１０、第２脚部１２及び第３脚部１４は、接続部８の下方に、前方から後方へ第３脚部１４、第１脚部１０、第２脚部１２の順に配置（設置）される。なお、図１乃至３で示すように、第３脚部１４は、平面状の板部材である接続部８そのもの（特定の部材を設置しない形態）であっても良く、第１脚部１０や第２脚部１２のように、所定の長さを有する脚を設置して形成しても良い（不図示）。本実施の形態において第３脚部１４は、接続部８の最前方に位置し、特定の部材を設置しない形態としている。
【００１７】
図１乃至３で示すように、第１脚部１０、第２脚部１２及び第３脚部１４の脚の長さは、第２脚部１２、第１脚部１０、第３脚部１４の順に長い。なお、本実施の形態において第３脚部１４の脚の長さはゼロである。また、グリップ部２から第１脚部１０、第２脚部１２及び第３脚部１４それぞれの下方先端までの距離は、第２脚部１２、第１脚部１４、第３脚部１４の順に長い。
【００１８】
第１脚部１０、第２脚部１２及び第３脚部１４それぞれの脚の数は特に限定されないが、図１乃至３で示すように、第１脚部１０の脚の数が１本、第２脚部１２の脚の数が２本であることが好適である。
【００１９】
第２脚部１２の先端であり、階段２０等と接地する接地面（底面）は、第２脚部１２を階段２０の平らな面に対し垂直にしたとき、前側の方が後ろ側よりも上に位置するように傾斜している。つまり、多脚杖１を階段２０の高い方へ傾けたときに、第２脚部１２先端の接地面が水平になり、階段２０等の平らな面と完全に接地する。こうすることで、階段２０の上り下り時の歩行者２２の姿勢を安定させることができる。
多脚杖１は、上記した構成を備えることによって、階段の上り下り時に、歩行者の体勢を安定させ、歩行動作を補助することができるものである。
（本実施の形態に係る多脚杖の使用方法）
図５乃至７を用いて、多脚杖１の使用方法について説明する。図５乃至７は、多脚杖１の使用方法を説明する図である。
【００２０】
図５で示すように、多脚杖１は、歩行者（使用者）２２が階段２０を上るとき又は下りるときに使用される。なお、多脚杖１は、歩行者２２が階段２０以外の例えば平坦な地面を歩くときに、一般的な杖として使用しても良いが、多脚杖１は、歩行者（使用者）２２が階段２０を上るとき又は下りるときに使用してはじめて、特徴的な機能（効果）を発揮する。
【００２１】
図５で示すように、歩行者２２は、グリップ部２を手で握り、第２脚部１２を階段２０の下段に置くと共に、第１脚部１０又は第３脚部１４を階段２０の上段に置いた状態で、階段２０を昇る。そのとき、多脚杖１は、第２脚部１２下方先端部が備える傾斜によって、階段２０側（歩行者２２の奥側）に少し傾いた状態となる。
【００２２】
図示しないが、階段２０を下りるときも同様に、歩行者２２は、グリップ部２を手で握り、第２脚部１２を階段２０の下段に置くと共に、第１脚部１０又は第３脚部１４を階段２０の上段に置いた状態で、階段２０を下りる。このときも、多脚杖１は、第２脚部１２下方先端部が備える傾斜によって、階段２０側（歩行者２２の手前側）に少し傾いた状態となる。
【００２３】
図６及び７で示すように、階段２０の段差が相対的に高い（大きい）場合、歩行者２２は、階段２０の上段に第３脚部１４を置くようにし、階段２０の段差が相対的に低い（小さい）場合、歩行者２２は、階段２０の上段に第１脚部１０を置くようにする。こうすることよって、多脚杖１の歩行者２２に対する傾きを使い勝手の良い、適切な角度とすることができる。
【００２４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２５】
１    多脚杖
２    グリップ部
４    支柱部
６    脚部
８    支柱部と脚部との接続部
１０  第１脚部
１２  第２脚部
１４  第３脚部
１６  前方
１８  後方
２０  階段
２２  歩行者
【要約】
【課題】
開示する多脚杖は、階段の上り下り時に、歩行者の体勢を安定させ、歩行動作を補助する。
【解決手段】
開示する多脚杖は、使用者が握る部位であるグリップ部と、接地する部位であり、前方から後方へ順に配置される第１脚部及び第２脚部を含む脚部と、前記グリップ部と前記脚部とを連結する部位である支柱部と、を有する多脚杖であって、前記グリップ部から前記第１脚部先端までの距離が、前記グリップ部から第２脚部先端までの距離より短いことを特徴とする。開示する多脚杖において、前記第２脚部の底面を地面に接地させたとき当該多脚杖が前方に傾くように、前記第２脚部の底面が傾斜していても良い。
【選択図】図５【図１】
0005945055.tif 000002
【図２】
0005945055.tif 000003
【図３】
0005945055.tif 000004
【図４】
0005945055.tif 000005
【図５】
0005945055.tif 000006
【図６】
0005945055.tif 000007
【図７】
0005945055.tif 000008